(57)【要約】【課題】クリーニングモード動作中に電池（携帯用電源）の電圧が低下して、シャッタの後幕マグネットが保持しきれなくなるとシャッタ後幕が走行してしまう。【解決手段】被写体を撮像する撮像手段を具備する撮像装置であって、撮像手段に付着した異物を除去するためのクリーニングモードが指示されてクリーニングモードを実行している時、撮像装置に電力を供給する電池４１７の電池残量を電圧検知回路４２０により検知し、その電池残量が第１所定量以下になるとランプ４０８や発音体４０９により警告を発生する。また、電池４１７の電池残量が第１所定量以下の場合には、クリーニングモードへの移行を禁止する。【選択図】  図４
2004260615.tif 000002
【特許請求の範囲】
【請求項１】
被写体を撮像素子により撮像する撮像手段を具備する撮像装置であって、
前記撮像装置に電力を供給する電力供給手段と、
前記電力供給手段からの供給電力を検知する検知手段と、
前記撮像素子の受光面近傍の異物を除去するためのクリーニングモードへの移行を指示する指示手段と、
前記指示手段の指示による前記クリーニングモードの実行時、前記検知手段により検知された前記供給電力が第１所定量以下になると警告を発生する警告発生手段と、
を有することを特徴とする撮像装置。
【発明の詳細な説明】
【０００１】
【発明の属する技術分野】
本発明は、カメラ等光学機器の撮像装置に関するものである。
【０００２】
【従来の技術】
近年、ＣＣＤ等の撮像素子を用いて撮像し、その画像信号をメモリカード等の記憶媒体に記憶するデジタルカメラが数多く市場に出回るようになってきた。このようなデジタルカメラではフィルムが不要になり、ＣＣＤ等の撮像素子で撮像した画像信号をＣＦカードやハードディスク装置等の外部記憶装置に記憶することができる。この外部記憶装置は、フィルムとちがって何度でも書き込みや消去ができるので、消耗品に係る経費が少なくてすみ大変便利である。
【０００３】
これらのデジタルカメラのほとんどには、画像を表示可能なＬＣＤモニタと、メモリカード等の大容量のメモリが搭載されており、このデジタルカメラを利用することにより、従来消耗品として使用してきたフィルムが不要になるばかりでなく、撮影した画像の出来栄えがＬＣＤモニタで即座に確認できる。これによりオペレータが不要と思った画像データをその場で消去したり、また必要に応じて再撮影もできる。このようにして撮影現場でメモリに記憶された画像の編集作業が可能になり、銀塩写真と比較して写真撮影の効率が飛躍的に高まったといえる。
【０００４】
一方、従来のデジタルカメラでは、ＣＣＤ等の撮像素子の結像面近傍（例えば、ＣＣＤのカバーガラス上）に被写体とは無関係なゴミ等の異物が存在すると、その異物の映像も併せて写り込んでしまう問題があった。従来の銀塩フィルムでも、フィルム上にゴミ等の異物が存在すると、その異物の映像を写り込んでしまう問題はあるが、フィルムの場合は１駒毎にフィルムが移動するため、全ての駒に同様のゴミが写り込むのは極めて希である。
【０００５】
しかし、デジタルカメラのようにＣＣＤ等の撮像素子で撮像する場合は、撮影後には何ら機械的な移動がなされないので、ＣＣＤ等の撮像素子上に１度ゴミ等の異物が付着すると、多くの駒に同様のゴミが写り込まれてしまう恐れがある。そのためオペレータは、常にそのＣＣＤ等の撮像素子上のゴミの付着には大変気を使っていなければならず、ゴミのチェックや清掃に多くの労力を費やしている。特にＣＣＤ等の撮像素子は、カメラ内部の奥まった場所に配置されているため、このような異物の確認は容易ではない。
【０００６】
また、一眼レフタイプのデジタルカメラでは、レンズの着脱によりゴミ等が侵入し易いばかりでなく、多くの一眼レフタイプのデジタルカメラの場合、ＣＣＤ等の撮像素子の直前にフォーカルプレーンシャッタを配置している場合が多いので、シャッタの機械的な作動により、ＣＣＤ等の撮像素子上にゴミが付着し易い構造になっている。よってデジタルカメラでは、このＣＣＤ等の撮像素子上に付着したゴミの確認や清掃が大きな課題であった。
【０００７】
そこで、撮像素子上のゴミをＬＣＤモニタで確認できる機能（ゴミモード）や、撮像素子上の異物を除去するためにカメラをバルブ状態にする機能（クリーニングモード）等が搭載されたデジタルカメラも市場に供給されるようなってきた。これらのデジタルカメラでは、ゴミモードを使用することにより、ゴミ等の異物の付着状態をＬＣＤモニタで容易に確認でき、またクリーニングモードによりレンズマウント側からＣＣＤカバーガラスの表面を清掃することができ大変便利である。
【０００８】
【発明が解決しようとする課題】
しかし、以上述べたような従来例では、以下のような問題があった。
【０００９】
クリーニングモード動作中に電池（携帯用電源）の電圧が低下して、シャッタの後幕マグネットが保持しきれなくなるとシャッタ後幕が走行してしまう。従って、オペレータが、レンズマウント側からブロア等の清掃用の道具を使用して、ＣＣＤ面のゴミや汚れを取り除いている最中に、電池電圧が低下してャッタ後幕が走行するとシャッタ羽根を破損してしまい、それ以降、撮影不能となってしまう虞がある。またシャッタの修理代は大変高価であるので、シャッタ羽根を破損させることは、ユーザに対して甚大な被害を与えることになる。
【００１０】
本発明は上記従来例に鑑みてなされたもので、クリーニングモードで清掃作業中に、供給電力の低下によりシャッタ幕が走行してシャッタ幕が破損するのを防止する技術を提供することを目的とする。
【００１１】
【課題を解決するための手段】
上記目的を達成するために本発明の撮像装置は以下のような構成を備える。即ち、
被写体を撮像素子により撮像する撮像手段を具備する撮像装置であって、
前記撮像装置に電力を供給する電力供給手段と、
前記電力供給手段からの供給電力を検知する検知手段と、
前記撮像素子の受光面近傍の異物を除去するためのクリーニングモードへの移行を指示する指示手段と、
前記指示手段の指示による前記クリーニングモードの実行時、前記検知手段により検知された前記供給電力が第１所定量以下になると警告を発生する警告発生手段とを有することを特徴とする。
【００１２】
【発明の実施の形態】
以下、添付図面を参照して本発明の好適な実施の形態を詳細に説明する。
【００１３】
図１は、本発明の実施の形態に係るデジタルカメラの背面図である。このデジタルカメラは、ゴミモードやクリーニングモードを有している。
【００１４】
図１において、１０１はＬＣＤモニタで、既に撮影されてメモリに記憶されている画面を表示したり、またメニュー画面を表示するのに使用される。１０２はメニュー釦（ＭＥＮＵ）で、このボタンが押下されるとメニュー画面を表示する。１０３はセレクト釦で、そのボタンが押下された時に選択されていたモードの実行を指示する。１０４は電子ダイアルで、撮影モードや、撮影隅の映像表示モード等の切替えに使用され、この電子ダイアル１０４を回転することにより、ＬＣＤモニタ１０１上でカーソルが移動して、所望のメニュー項目を選択できるようになっている。１０５はカメラを起動させるための電源スイッチで、オン（ＯＮ）により動作可能状態となり、オフ（ＯＦＦ）により動作不能状態となる。尚、このスイッチ１０５は、後述するクリーニング動作の終了を指示するのにも使用される。１０６は撮影するためのシャッタである。
【００１５】
ＬＣＤモニタ１０１に画像を表示する際や、カメラの初期設定、及び撮影モード等を選択する際は、メニューボタン１０２を押し、電子ダイアル１０４を回転して希望のモードにカーソルを合わせる。こうして希望のモードが選択された状態でセレクト釦１０３を押すことによって、そのモード選択が完了する。
【００１６】
前述のゴミ除去モード及びクリーニングモードを選択する時は、図１において、電子ダイアル１０４によりＭＥＮＵ１００にカーソルを合わせ、次にセレクト釦１０３を押下してメニュー画面を選択する。これにより、ＬＣＤモニタ１０１の表示は図２に示すように切り替わる。
【００１７】
図２は、メニュー画面が表示された状態を示す図である。但し、ここでは、メニュー項目として本実施の形態に係る「クリーニング」だけを示しているが、他のメニュー項目も表示されていることはもちろんである。
【００１８】
図２において、電子ダイヤル１０４を回転して、「クリーニング」２１０にカーソルを移動させ、その状態でセレクト釦１０３を押下することにより、クリーニングモードを選択する。その後、本当にクリーニングモードに移行するかを聞いてくるので、電子ダイアル１０４を回転して「Ｙｅｓ」２１１を選択し、セレクト釦１０３を押下してクリーニングモードを選択する。この後、シャッタ１０６を押下することによりクリーニング動作が開始される。
【００１９】
図３は、本発明の実施の形態に係る一眼レフ・デジタルカメラの構成を説明するブロック図で、前述の図面と共通する部分は同じ記号で示している。
【００２０】
４０１は、このカメラ全体の動作を制御する制御部で、マイクロコンピュータ（ＣＰＵ）４０２、このＣＰＵ４０２の制御プログラムを記憶しているメモリ４０２ａ、固体撮像素子４１５から出力される画像信号を処理してＬＣＤモニタ１０１に画像を表示する画像表示制御回路４０３、電池４１７の出力電圧を入力して、その電圧を検知する電圧検知回路４２０等を備えている。この制御部４０１で画像処理された画像データは、例えばＪＰＥＧ符号化された後、ＣＦカードなどの外部記録装置４１６に記憶される。固体撮像素子４１５は、被写体を撮像する撮像素子（ＣＣＤ）に相当している。
【００２１】
４０４は測光回路で、被写体の輝度を測定する。４０５は測距回路で、ＡＦ（オートフォーカス）のための被写体に対するデフォーカス量を検出する。４０６はレンズ制御回路で、ＡＦ時の測距回路４０５の演算結果を基に、フォーカシングのためのレンズ駆動などを行う。４０７は絞り制御回路で、絞りばねの制御駆動を行う。
【００２２】
４０８は電源警告表示手段の一部の発光手段であるランプ（或いはＬＥＤ）である。４０９は電源警告表示手段の一部である、例えばブザー等の発音手段である発音体である。
【００２３】
４１１はミラーのアップダウンを行うミラー制御回路で、モータの駆動、ブレーキによってミラーの移動制御がなされている。４１０は不図示のシャッタ先幕及び後幕の走行制御を行うシャッタ制御回路で、マグネットＭＧ−１の通電をカットすることによって先幕の走行を行っている。マグネットＭＧ−２も同様に、その通電をカットによって後幕の走行を行っている。また、これらマグネットＭＧ−１，ＭＧ−２への通電を開始すると、先幕及び後幕を元の位置に戻すことができる。
【００２４】
４１２はスイッチ回路で、上述したメニューボタン１０２、セレクトボタン１０３、電子ダイアル１０４、シャッタ１０６や、不図示のスイッチ群が操作されたかどうか検知して、それぞれ対応する信号を発生して制御部４０１に出力する。ＳＷ１は、シャッタ１０６が半押しされた状態でオンされ、これにより制御部４０１は測距回路４０５、測光回路４０４等によりＡＦ（オートフォーカス）や被写体の輝度の測定などを行っている。ＳＷ２はシャッタ１０６が完全に押下された時にオンされ、これにより本実施の形態のデジタルカメラは撮影動作を開始する。またクリーニングモードが設定されている時は、クリーニング動作を開始する。４１７は外部電源供給手段で、電池（携帯用電池）である。
【００２５】
図４は、この電池４１７の出力電圧と制御との関係を説明する図である。
【００２６】
この電池４１７の出力電圧は、最低電圧Ｖ０から最大電圧Ｖａで表わされており、電圧Ｖｂ以上の場合にのみクリーニングを実行すると定められている。また電圧Ｖｂ以下で電圧Ｖｃまでは、ランプ４０８及び／或いは発音体４０９により、クリーニング処理を実行できない旨を警告する。この場合は、クリーニング動作を開始することができない。また電圧Ｖｃ以下は、ミラーダウンによる最終警告で、この電圧範囲では動作不能である。
【００２７】
次に、本実施の形態に係るデジタルカメラの動作を図５のフローチャートを参照して説明する。なお本実施の形態では、測光回路４０４、測距回路４０５、レンズ制御回路４０６、絞り制御回路４０７等の動作は本発明とは直接関係ないので、ここではその動作説明を省略する
図５は、本実施の形態に係るデジタルカメラおけるクリーニングモード時の処理を示すフローチャートで、この処理を実行するプログラムはメモリ４０２ａに記憶されており、この処理はＣＰＵ４０２の制御の下に実行される。尚、この処理は、図２を参照して前述したように、電子ダイアル１０４でクリーニング２１０を選択し、セレクトボタン１０３を押下した後、更に「Ｙｅｓ」２１１を指示した後、シャッタ１０６が押下されることにより開始される。
【００２８】
まずステップＳ５０１で、電圧検知回路４２０により、外部電源（携帯電池）４１７の出力電圧を検知し、その検知した電圧が図４に示すＶｂ以上であるかを判定する。Ｖｂ以上でないときはクリーニング動作を開始できないので、そのまま処理を終了する。
【００２９】
ステップＳ５０１で、電池４１７の出力電圧がＶｂ以上の場合はステップＳ５０２に進み、ミラー制御回路４１１のモータ４１１ａを回転駆動してミラーをアップさせ、ミラーが上がりきった時点でモータ４１１ａの回転駆動を停止させるミラーアップ処理を行う。次にステップＳ５０３に進み、シャッタ制御回路４１０によりマグネットＭＧ−１への通電をカットする。これにより先幕の走行が開始される。こうして先幕が走行されるとバルブ状態になるので、レンズを取り外すことによってクリーニングの作業を開始することが可能となる。
【００３０】
このクリーニング作業中は、シャッタ後幕用のマグネットＭＧ−２に通電して、シャッタ後幕が走行しないように保持している。従って、このクリーニング期間中は、電池４１７から一定の電流が供給されており、このクリーニング中でも電池４１７の電力が消費されていることになる。そのためこのクリーニング作業中でもステップＳ５０４で、電圧検知回路４２０により電池４１７の出力電圧を検知し、その出力電圧がＶｂ以下に低下するかどうかを監視している。Ｖｂ以下に低下しない場合はステップＳ５０５に進み、スイッチ１０５がオフされて、クリーニング作業の終了が指示されたかを調べ、スイッチ１０５がオフされるとステップＳ５０６に進み、シャッタ制御回路４１０によりマグネットＭＧ−２への通電をカットして後幕の走行を開始する。そして後幕走行が終了するとステップＳ５０７に進み、ミラー制御回路４１１によりモータ４１１ａを回転駆動させてミラーを下げるミラーダウン処理を実行する。こうしてミラーが下がりきった時点でそのモータ４１１ａの回転駆動を停止する。次にステップＳ５０８に進み、シャッタ制御回路４１０を制御してマグネットＭＧ−１，ＭＧ−２に通電し、先幕及び後幕を元の位置に戻す。こうしてクリーニング処理を終了する。
【００３１】
一方、ステップＳ５０１、或いはステップＳ５０４で、電池の出力電圧がＶｂ以下に低下するとステップＳ５０９に進み、ランプ４０８及び／或いはブザーなどの発音体４０９により、電池４１７の出力電圧が低下していることを示す警告表示出力を行う。次にステップＳ５１０に進み、更に電圧検知回路４２０の検知出力に基づいて電池４１７の出力電圧がＶｃ以下になったかどうかを調べ、Ｖｃ以下でなければステップＳ５１１に進み、スイッチ１０５によりクリーニングの終了が指示されたかをみる。終了が指示されると前述のステップＳ５０６に進み、後幕の走行を行ってステップＳ５０７に進む。またステップＳ５１１で、終了指示が入力されない時はステップＳ５１０に戻り、前述の処理を繰り返す。
【００３２】
またステップＳ５１０で、電池４１７の出力電圧がＶｃ以下になった時はステップＳ５１２に進み、ミラー制御回路４１１のモータ４１１ａを回転駆動することによってミラーをダウンさせる。こうしてミラーが下がりきったところでモータ４１１ａの回転駆動を停止してミラーダウン動作を終了する。これによって、クリーニング作業を強制的に中止させる。そしてステップＳ５１３に進み、電圧検知回路４２０の検知出力に基づいて電池４１７の電圧をチェックする。ここでＶ０（電圧０）以上であればステップＳ５１４に進み、スイッチ１０５がオフされてクリーニングの終了が指示されたかをみる。ここでクリーニング作業が終了が指示されるとステップＳ５１５に進み、シャッタ制御回路４１０によりマグネットＭＧ−２への通電をカットして、後幕の走行を開始し、その後、マグネットＭＧ−１，ＭＧ−２へ通電し、先幕及び後幕を元の位置に戻して、終了する。またステップＳ５１４で、終了指示が入力されない時はステップＳ５１３に戻る。このステップＳ５１３で、電池４１７の出力電圧がＶ０以上でなくなるとステップＳ５１５に進み、シャッタ制御回路４１０によりマグネットＭＧ−２への通電をカットして、後幕の走行を開始して処理を終了する。
【００３３】
以上述べたように本実施の形態のデジタルカメラによれば、クリーニングモード時、電源（電池）電圧が所定値以下に低下すると警告を発することができる。これによりオペレータは、そのクリーニング作業を中断できるので、シャッタの後幕が走行してシャッタ幕が破損してしまうといった事態を防止できる。
【００３４】
また更に、クリーニングモード時、電源（電池）電圧がクリーニング作業を続行できない状態になると強制的にクリーニングモードを終了させることにより、クリーニング作業中にオペレータに意図に反してシャッタの後幕が走行してシャッタ幕を破損するのを防止できる。
【００３５】
尚、上記実施の形態では、電池４１７の出力電圧が所定電圧かどうかにより電池残量を判定していたが本願発明はこれに限定されるものでなく、例えば電池４１７により供給される負荷電流を調べ、その負荷電流値に基づいて電池残量を判定してもよい。また、この電池４１７から供給される電力量を求め、その供給電力量が所定量以上かどうかにより上述の制御を実行してもよい。
【００３６】
［他の実施の形態］
本発明の目的は前述したように、実施形態の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００３７】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００３８】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【００３９】
上述した各実施の形態は以下のような実施態様で表わすことができる。
【００４０】
［実施態様１］  被写体を撮像素子により撮像する撮像手段を具備する撮像装置であって、
前記撮像装置に電力を供給する電力供給手段と、
前記電力供給手段による供給電力を検知する検知手段と、
前記撮像素子の受光面近傍の異物を除去するためのクリーニングモードへの移行を指示する指示手段と、
前記指示手段による指示による前記クリーニングモードの実行時、前記検知手段により検知された前記供給電力が第１所定量以下になると警告を発生する警告発生手段と、
を有することを特徴とする撮像装置。
【００４１】
［実施態様２］  前記指示手段による指示により前記クリーニングモードの実行時、前記検知手段により検知された前記供給電力が第１所定量よりも少ない第２所定量以下になると前記クリーニングモードを強制的に停止する停止手段を更に有することを特徴とする実施態様１に記載の撮像装置。
【００４２】
［実施態様３］  前記指示手段による指示に応答し、前記検知手段により検知された前記供給電力が前記第１所定量以下の場合には前記クリーニングモードへの移行を禁止する手段を更に有することを特徴とする実施態様１又は２に記載の撮像装置。
【００４３】
［実施態様４］  被写体を撮像素子により撮像する撮像手段を具備する一眼レフの撮像装置であって、
前記撮像装置に電力を供給する電力供給手段と、
前記電力供給手段から供給される供給電力を検知する検知手段と、
前記撮像素子の受光面近傍の異物を除去するためのクリーニングモードへの移行を指示する指示手段と、
一眼レフ用のミラーをアップさせ、シャッタ先幕を走行させてクリーニングモードを設定するクリーニングモード設定手段と、
前記指示手段による指示に応じて前記クリーニングモード設定手段により前記クリーニングモードが設定されている状態で、前記検知手段により検知された前記供給電力が第１所定量以下になると警告を発生する警告発生手段と、
を有することを特徴とする撮像装置。
【００４４】
［実施態様５］  前記指示手段による指示により前記クリーニングモードの設定時、前記検知手段により検知された前記供給電力が第１所定量よりも少ない第２所定量以下になると前記ミラーをダウンさせる手段を更に有することを特徴とする実施態様４に記載の撮像装置。
【００４５】
［実施態様６］  前記クリーニングモードの終了時、シャッタの後幕を走行させる手段を更に有することを特徴とする実施態様４又は５に記載の撮像装置。
【００４６】
［実施態様７］  前記指示手段による指示に応答し、前記検知手段により検知された前記供給電力が前記第１所定量以下の場合には、前記クリーニングモード設定手段によるクリーニングモードの設定を禁止する手段を更に有することを特徴とする実施態様４乃至６のいずれかに記載の撮像装置。
【００４７】
［実施態様８］  被写体を撮像素子により撮像する撮像手段を具備する撮像装置における制御方法であって、
前記撮像装置に供給される供給電力を検知する検知工程と、
前記撮像素子の受光面近傍の異物を除去するためのクリーニングモードへの移行を指示する指示指示工程と、
前記指示工程での指示による前記クリーニングモードの実行時、前記検知工程で検知された前記供給電力が第１所定量以下になると警告を発生する警告発生工程と、
を有することを特徴とする制御方法。
【００４８】
［実施態様９］  前記指示工程での指示により前記クリーニングモードの実行時、前記検知工程で検知された前記供給電力が第１所定量よりも少ない第２所定量以下になると前記クリーニングモードを強制的に停止する停止工程を更に有することを特徴とする実施態様８に記載の制御方法。
【００４９】
［実施態様１０］  前記指示工程での指示に応答し、前記検知工程で検知された前記供給電力が前記第１所定量以下の場合には、前記クリーニングモードへの移行を禁止する工程を更に有することを特徴とする実施態様８又は９に記載の制御方法。
【００５０】
［実施態様１１］  被写体を撮像素子により撮像する撮像手段を具備する一眼レフの撮像装置における制御方法であって、
前記撮像装置に供給される供給電力を検知する検知工程と、
前記撮像素子の受光面近傍の異物を除去するためのクリーニングモードへの移行を指示する指示工程と、
一眼レフ用のミラーをアップさせ、シャッタ先幕を走行させてクリーニングモードを設定するクリーニングモード設定工程と、
前記指示工程での指示に応じて前記クリーニングモード設定手段により前記クリーニングモードが設定されている状態で、前記検知工程で検知された前記供給電力が第１所定量以下になると警告を発生する警告発生工程と、
を有することを特徴とする制御方法。
【００５１】
［実施態様１２］  前記指示工程での指示により前記クリーニングモードの設定時、前記検知工程で検知された前記供給電力が第１所定量よりも少ない第２所定量以下になると前記ミラーをダウンさせて前記クリーニングモードを強制的に停止する停止工程を更に有することを特徴とする実施態様１１に記載の制御方法。
【００５２】
［実施態様１３］  前記クリーニングモードの終了時、シャッタの後幕を走行させる工程を更に有することを特徴とする実施態様１１又は１２に記載の制御方法。
【００５３】
［実施態様１４］  前記指示工程での指示に応答し、前記検知工程で検知された前記供給電力が前記第１所定量以下の場合には、前記クリーニングモード設定工程によるクリーニングモードの設定を禁止する工程を更に有することを特徴とする実施態様１１乃至１３のいずれかに記載の制御方法。
【００５４】
［実施態様１５］  被写体を撮像する撮像素子と、
前記撮像素子の受光面近傍の異物を除去するためのクリーニングモードに移行させる制御手段と、
駆動電力を供給する電源供給手段と、
前記クリーニングモード中に、前記電源供給手段から供給される電源供給レベルを検出する検出手段と、
前記検出手段による検出結果に応じて前記クリーニングモードを中止することを促す警告手段と、
を備えたことを特徴とする撮像装置。
【００５５】
［実施態様１６］  発音手段を更に具備し、前記警告手段は、前記発音手段を用いて警告することを特徴とする実施態様１５に記載の撮像装置。
【００５６】
［実施態様１７］  表示手段を更に具備し、前記警告手段は、前記表示手段を用いて警告することを特徴とする実施態様１５に記載の撮像装置。
【００５７】
［実施態様１８］  撮像光軸上に配されたミラーを、非撮影時には被写体像を光学ファインダに導く第一の状態に位置し、撮影時には撮像光軸上から退避する第二の状態に位置するミラー移動手段を更に具備し、前記警告手段は、前記ミラー移動手段により前記ミラーを前記第二の状態から前記第一の状態に動作させて警告することを特徴とする実施態様１５に記載の撮像装置。
【００５８】
［実施態様１９］  前記警告手段は、前記電源供給レベルに応じて前記発音手段又は前記表示手段を用いて警告する第一の警告段階と、前記ミラー移動手段により警告する第二の警告段階とを有することを特徴とする実施態様１５乃至１８のいずれかに記載の撮像装置。
【００５９】
以上説明したように本実施の形態によれば、クリーニング作業中に電源電圧が低下すると、警告音を発したり、発光ランプが点灯したり、ミラーがダウンをしたりするなどして各種警告を発するので、クリーニング作業中に後幕が走行してシャッタ幕が破損してしまうといったことを防ぐことができる。
【００６０】
【発明の効果】
以上説明したように本発明によれば、クリーニング動作中に供給電力が低下してシャッタ幕が走行することによる不具合の発生を防止できる。
【図面の簡単な説明】
【図１】本発明の実施の形態に係る一眼レフ・デジタルカメラの背面図である。
【図２】本発明の実施の形態に係る一眼レフ・デジタルカメラにおけるクリーニングモード選択時の背面図である。
【図３】本発明の実施の形態に係る一眼レフ・デジタルカメラの構成を示すブロック図である。
【図４】本実施の形態に係るデジタルカメラにおける電池電圧に応じた処理方法を説明する図である。
【図５】本発明の実施の形態に係る一眼レフ・デジタルカメラにおけるクリーニング処理を説明するフローチャートである。
【図１】
2004260615.tif 000003
【図２】
2004260615.tif 000004
【図３】
2004260615.tif 000005
【図４】
2004260615.tif 000006
【図５】
2004260615.tif 000007